(57)【特許請求の範囲】
【請求項１】
親扉に取り付けられる錠箱に進退可能かつ揺動可能に支承され、先端に係合突部を有するガードアームと、子扉の自由側端縁に装着され、ガードアームの作動時ガードアームの係合突部を係合させることができるようにした受け孔及びこの受け孔に連設された案内孔から成る長孔を有するストライクとを備えたガードアーム錠において、子扉に取り付けられたフランス落しの係止用ロッドを前記ストライクに向け延長させ、その延長部に前記ストライク内で上下方向に摺動できるようにした閉止スライダを連係させ、フランス落しの解錠時ストライクの受孔に対するガードアームの係合突部の進入を阻止するため、前記閉止スライダでストライクの受孔のみを封鎖するようにしたことを特徴とするガードアーム錠におけるストライク。
【発明の詳細な説明】
【０００１】
【発明の属する技術分野】
この発明は、両開き扉に装着されるガードアーム錠におけるストライクに関する。
【０００２】
【従来の技術】
両開き扉の親扉に取り付けられる錠箱に進退可能かつ揺動可能に支承され、先端に係合突部を有するガードアームと、両開き扉の子扉に取り付けられ、ガードアームの作動時ガードアームの係合突部を係合させることができるようにした受孔及び案内孔から成る長孔を有するストライクとを備えたガードアーム錠は、例えば実開平７−１０３２７号公報等に示され公知である。
【０００３】
親扉と子扉の間に装着された前記のようなガードアーム錠では、サムターンによりガードアームが作動位置に進出させてあっても、子扉のフランス落しの施錠がうっかり忘れられていると、親扉と子扉を閉鎖状態から同時に開放させた場合、ストライクに対する係合突部によるガードアームの係合が意図に反して解除されることがあり、防犯上好ましくない。
【０００４】
【発明が解決しようとする課題】
この発明のガードアーム錠におけるストライクは、サムターンによりガードアームを作動位置に進出操作させる際に、子扉のフランス落しについて施錠を忘れている場合その操作を不能とすることにより、フランス落しの掛け忘れを防止することを目的として提案されたものである。
【０００５】
【課題を解決するための手段】
上記の目的を達成するため、この発明のガードアーム錠におけるストライクは、親扉に取り付けられる錠箱に進退可能かつ揺動可能に支承され、先端に係合突部を有するガードアームと、子扉の自由側端縁に装着され、ガードアームの作動時ガードアームの係合突部を係合させることができるようにした受け孔及びこの受け孔に連設された案内孔から成る長孔を有するストライクとを備えたガードアーム錠において、子扉に取り付けられたフランス落しの係止用ロッドを前記ストライクに向け延長させ、その延長部に前記ストライク内で上下方向に摺動できるようにした閉止スライダを連係させ、フランス落しの解錠時ストライクの受孔に対するガードアームの係合突部の進入を阻止するため、前記閉止スライダでストライクの受孔のみを封鎖するようにしたことを特徴とする。
【０００６】
【発明の実施の形態】
以下、図面に示す実施例に基いてこの発明について説明する。
図1はこの発明の使用態様を表わす図で、同図において、符号１０は両開き扉における親扉、２０は子扉、３０は蝶番、１は親扉に取り付けられたガードアーム錠の本体側部分である錠箱を夫々示す。
【０００７】
また、符号２は子扉に取り付けられた本発明に係るガードアーム錠のストライク、６は子扉２０の上方部分に取り付けられた上部フランス落し、７は子扉２０の下方部分に取り付けられた下部フランス落しである。
【０００８】
図示例にあっては、この発明は、下部フランス落し７とストライク２との間において実施されているが、上部フランス落し６とストライク２との間において、実施するようにすることもできる。
【０００９】
下部フランス落し７は、子扉２０に固定された装置本体７１、本体７１内の操作部材で操作されて上下動する係止用ロッド７２、及び、扉枠に固定され、係止用のロッド７２の先端（下端）が係脱される受金具７３等から成り、このような構造は従来より知られている。
【００１０】
本発明の主要部である後述のストライク２と共にガードアーム錠を構成するガードアーム３は、図５に示すように、基端の枢軸３２をもって錠箱１に進退可能かつ揺動可能に枢支され、先端には前方に向く係合突部３１を有する。図５で符号３１ａは係合突部３１の先端に設けたフランジ部である。
【００１１】
そして、ガードアーム３は、周知のように、図示しないサムターンの回動操作により、例えばカム及び突き出し部材等を介して錠箱１のフロント板１１より突出入される。
【００１２】
なお、図５で符号４は前記のガードアーム３に併設したデッドボルトを示し、そのデッドボルト４は周知のようにサムターン又はシリンダ錠に差し込んだ鍵の操作により突出入される。また、符号８はガードアーム３及び／又はデッドボルト４に対するトリガーを示している。
【００１３】
一方、子扉２０における前記のガードアーム３に対応させた位置にねじ９１等で固定されるストライク２は、図２に示すように、ストライク板２１及び箱状のトロヨケ２２を適当な固定手段で互いに結合して成る。
【００１４】
ストライク板２１の長さ方向における中央部分にはガードアーム３の係合突部３１が嵌め込まれる受け孔２３ａとそれに連続する案内孔２３ｂとから成る長孔２３を有し、更に、ストライク板２１における前記長孔２３の下方部分にはデッドボルト４の係入孔２４を有する。
【００１５】
次に、この発明の要部構造について図２〜図４において説明する。
上記したストライク２の空間部には例えば角筒状をなす閉止スライダ５が上下方向に摺動できるように装着させてある。
【００１６】
閉止スライダ５は、前面の封鎖部５１の下方に本締りとしての施錠時のデッドボルト４を逃がすための逃げ穴５２を有し、背面部に後方に向け一体に突出させた連係突片５３を有している。この突片５３はトロヨケ２２の背板に設けたスリット２５を通じて外部へ突出させてある。
【００１７】
一方、上述のフランス落し７における係止用ロッド７２はその内端（上端）が前記のストライク２に向け延長させてあり、その延長部７２ａで前記の閉止スライダ５の連係突片５３を下から押し上げるようにしてそれに連係させてある。
【００１８】
要するに、図示例においては、自重でストライク２内を降下しようとする閉止スライダ５は、その連係突片５３を介して係止用ロッド７２の延長部７２ａで下から支持させてある。
【００１９】
フランス落し７の施・解錠により、係止用ロッド７２は下位位置又は上位位置を占めることになるが、係止用ロッド７２の上昇の際は閉止スライダ５は延長部７２ａで押し上げられ、また係止用ロッド７２の降下の際は閉止スライダ５は自重で共に降下することになる。
【００２０】
閉止スライダ５の自重による降下を確実にするため、ストライク２と閉止スライダ５との間にはばねを施して該閉止スライダ５を下方に向け付勢させてもよい。
【００２１】
なお、図示はしないが、前記の閉止スライダ５の連係突片５３と係止用ロッド７２の延長部７２ａとの間はピン手段やねじ手段で一体的に連結させることもできる。
【００２２】
図中、符号７４はストライク２の背部に固設した案内手段で、それに可動に嵌め合わされた係止用ロッド７２の延長部７２ａを直線的に案内させるためのものである。
【００２３】
次にこの発明のガードアーム錠におけるストライクの作用について説明する。図１及び図２においては、下部フランス落し７は施錠状態にあって、係止用ロッド７２、すなわちその延長部７２ａは下位位置を占めているので、閉止スライダ５は下方位置に降下している。
【００２４】
この際、閉止スライダ５はストライク２の受孔２３ａ内に露出しておらず、受孔２３ａは完全な開放状態にあるので、サムターンによりガードアーム３を作動位置に進出操作させた場合［図５（Ａ）参照］、その係合突部３１はストライク２の受け孔２３ａに嵌まり込み、ガードアーム３は正常な作動状態を呈する。
【００２５】
一方、図２において、フランス落し７が解錠状態にあったとすると、鎖線で示すように、係止用ロッド７２の延長部７２ａは上位位置を占めることになり、それによっ連係突片５３を介して閉止スライダ５が押し上げられ、閉止スライダ５の前面の封鎖部５１はストライクの受孔２３ａを封ずることになる。
【００２６】
そこで、サムターンによりガードアーム３を作動位置に進出させようとしても、係合突部３１の先端が閉止スライダ５の封鎖部５１に衝突することになるので、サムラーンの回動操作が不能となり、操作者はフランス落し７が解錠状態にあることを知り得る。従って、操作者はフランス落し７を施錠状態に正すことが可能となる。
【００２７】
【発明の効果】
以上に説明したこの発明のガードアーム錠のストライクによれば、両開き扉のガードアームを作動位置に進出操作させる際に、子扉のフランス落しが非施錠状態にあると、サムターンの操作が不能となるので、フランス落しの掛け忘れを確実に防止できるという効果を奏する。
【図面の簡単な説明】
【図１】この発明のガードアーム錠におけるストライクの使用態様の一例を示す側面から見た概要図。
【図２】この発明の主要部であるストライクの一例を示す図で、（Ａ）は部分縦断側面図、（Ｂ）は正面図。
【図３】図２の（Ｂ）のＩＩＩ−ＩＩＩ線による横断平面図。
【図４】図２のストライクから取り外した閉止スライダの正面図。
【図５】図２のストライクに対向させて用いられるガードアーム錠の本体側部分の一例を示す正面図。
【符号の説明】
１０  親扉
２０  子扉
１  錠箱
２  ストライク
２３  長孔
２３ａ  受孔
２３ｂ  案内孔
５  閉止スライダ
７  フランス落し
７２  係止用ロッド
７２ａ  延長部
【図１】
0003920432.tif 000002
【図２】
0003920432.tif 000003
【図３】
0003920432.tif 000004
【図４】
0003920432.tif 000005
【図５】
0003920432.tif 000006